(57)【要約】【課題】  デジタル放送番組をより好適に視聴または録画する技術を提供する。【解決手段】  デジタル放送波を受信するデジタル放送受信部と、受信したデジタル放送波からデジタル放送番組を選局する番組選局部と、選局したデジタル放送番組を表示する表示部と、受信したデジタル放送波からデジタル放送の番組予定表を取得する番組予定表取得部と、番組予定表取得部で取得した番組予定表を参照することにより、番組表示装置の使用者が定期的に視聴する定期視聴番組の次回の放送予定がないと確認された場合に、定期視聴番組と略同一時間帯に放送が予定されているデジタル放送番組を代替番組として選択する代替番組選択部と、代替番組として選択したデジタル放送番組の番組情報を取得する代替番組情報取得部と、代替番組情報取得部で取得した番組情報を番組表示装置の使用者が管理するメールアドレスに対して送信するメール送信部と、を備える。【選択図】  図１３
2014107851.tif 000002
【特許請求の範囲】
【請求項１】
デジタル放送番組の情報を送信可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記デジタル放送受信部で受信したデジタル放送波からデジタル放送の番組予定表を取得する番組予定表取得部と、
前記番組予定表取得部で取得した番組予定表を参照することにより、前記番組表示装置の使用者が定期的に視聴する定期視聴番組の次回の放送予定がないと確認された場合に、前記定期視聴番組と略同一時間帯に放送が予定されているデジタル放送番組を代替番組として選択する代替番組選択部と、
前記代替番組選択部で代替番組として選択したデジタル放送番組の番組情報を取得する代替番組情報取得部と、
前記代替番組情報取得部で取得した番組情報を前記番組表示装置の使用者が管理するメールアドレスに対して送信するメール送信部と、
を備えることを特徴とする番組表示装置。
【請求項２】
デジタル放送番組の情報を送信可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合に、前記番組予定表取得部で取得した番組予定表を参照することにより、前記定期視聴番組の次回の放送予定があるか否かを確認する番組放送予定確認部と、
前記番組放送予定確認部において、前記定期視聴番組の次回の放送予定がないと確認された場合に、前記定期視聴番組と略同一時間帯に放送が予定されているデジタル放送番組を代替番組として選択する代替番組選択部と、
前記代替番組選択部で代替番組として選択したデジタル放送番組の番組情報を取得する代替番組情報取得部と、
前記代替番組情報取得部で取得した番組情報を前記番組表示装置の使用者が管理するメールアドレスに対して送信するメール送信部と、
を備えることを特徴とする番組表示装置。
【請求項３】
デジタル放送番組の情報を表示可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記デジタル放送受信部で受信したデジタル放送波からデジタル放送の番組予定表を取得する番組予定表取得部と、
前記番組予定表取得部で取得した番組予定表を参照することにより、前記番組表示装置の使用者が定期的に視聴する定期視聴番組の次回の放送予定がないと確認された場合に、前記定期視聴番組と略同一時間帯に放送が予定されているデジタル放送番組を代替番組として選択する代替番組選択部と、
前記代替番組選択部で代替番組として選択したデジタル放送番組の番組情報を取得する代替番組情報取得部と、
前記代替番組情報取得部で取得した番組情報を前記表示部に表示させるよう制御を行う表示制御部と、
を備えたことを特徴とする番組表示装置。
【請求項４】
デジタル放送番組の情報を表示可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合に、前記番組予定表取得部で取得した番組予定表を参照することにより、前記定期視聴番組の次回の放送予定があるか否かを確認する番組放送予定確認部と、
前記番組放送予定確認部において、前記定期視聴番組の次回の放送予定がないと確認された場合に、前記定期視聴番組と略同一時間帯に放送が予定されているデジタル放送番組を代替番組として選択する代替番組選択部と、
前記代替番組選択部で代替番組として選択したデジタル放送番組の番組情報を取得する代替番組情報取得部と、
前記代替番組情報取得部で取得した番組情報を前記表示部に表示させるよう制御を行う表示制御部と、
を備えたことを特徴とする番組表示装置。
【請求項５】
前記代替番組選択部は、前記定期視聴番組と略同一時間帯に放送が予定されているデジタル放送番組のうち、新規に放送を開始する予定のデジタル放送番組を、代替番組として選択することを特徴とする請求項１乃至請求項４の何れか一項に記載の番組表示装置。
【請求項６】
前記代替番組選択部は、前記定期視聴番組と略同一時間帯に放送が予定されているデジタル放送番組のうち、番組情報に予め定めた所定の文字、文字列、記号、の何れかを有するデジタル放送番組を、代替番組として選択することを特徴とする請求項１乃至請求項４の何れか一項に記載の番組表示装置。
【請求項７】
デジタル放送番組を録画可能な番組録画装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を蓄積する録画蓄積部と、
前記デジタル放送受信部で受信したデジタル放送波からデジタル放送の番組予定表を取得する番組予定表取得部と、
前記番組予定表取得部で取得した番組予定表を参照することにより、前記番組録画装置の使用者が定期的に視聴する定期視聴番組の次回の放送予定がないと確認された場合に、前記録画蓄積部に蓄積したデジタル放送番組の番組情報を読み出す録画番組情報取得部と、
前記録画番組情報取得部で取得した番組情報を前記番組録画装置の使用者が管理するメールアドレスに対して送信するメール送信部と、
を備えることを特徴とする番組録画装置。
【請求項８】
デジタル放送番組を録画可能な番組録画装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組選局部で選局したデジタル放送番組を蓄積する録画蓄積部と、
前記番組情報取得部で取得した番組情報と前記視聴情報蓄積部に蓄積した視聴履歴データを参照することにより、前記番組選局部で選局したデジタル放送番組が、前記番組録画装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合に、前記番組予定表取得部で取得した番組予定表を参照することにより、前記定期視聴番組の次回の放送予定があるか否かを確認する番組放送予定確認部と、
前記番組放送予定確認部において、前記定期視聴番組の次回の放送予定がないと確認された場合に、前記録画蓄積部に蓄積したデジタル放送番組の番組情報を読み出す録画番組情報取得部と、
前記録画番組情報取得部で取得した番組情報を前記番組録画装置の使用者が管理するメールアドレスに対して送信するメール送信部と、
を備えることを特徴とする番組録画装置。
【請求項９】
デジタル放送番組を録画可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組を蓄積する録画蓄積部と、
前記デジタル放送受信部で受信したデジタル放送波からデジタル放送の番組予定表を取得する番組予定表取得部と、
前記番組予定表取得部で取得した番組予定表を参照することにより、前記番組表示装置の使用者が定期的に視聴する定期視聴番組の次回の放送予定がないと確認された場合に、前記録画蓄積部に蓄積したデジタル放送番組の番組情報を読み出す録画番組情報取得部と、
前記録画番組情報取得部で取得した番組情報を前記表示部に表示させるよう制御を行う表示制御部と、
を備えたことを特徴とする番組表示装置。
【請求項１０】
デジタル放送番組を録画可能な番組表示装置であって、
デジタル放送波を受信するデジタル放送受信部と、
前記デジタル放送受信部で受信したデジタル放送波からデジタル放送番組を選局する番組選局部と、
前記番組選局部で選局したデジタル放送番組を表示する表示部と、
前記番組選局部で選局したデジタル放送番組の番組情報を取得する番組情報取得部と、
前記番組情報取得部で取得した番組情報を視聴履歴データとして蓄積する視聴情報蓄積部と、
前記番組選局部で選局したデジタル放送番組を蓄積する録画蓄積部と、
前記番組情報取得部で取得した番組情報と前記視聴情報蓄積部に蓄積した視聴履歴データを参照することにより、前記番組選局部で選局したデジタル放送番組が、前記番組表示装置の使用者が定期的に視聴する定期視聴番組か否かを判断する定期視聴番組判断部と、
前記デジタル放送受信部で受信したデジタル放送波からデジタル放送の番組予定表を取得する番組予定表取得部と、
前記定期視聴番組判断部において、前記番組選局部で選局したデジタル放送番組が定期視聴番組であると判断された場合に、前記番組予定表取得部で取得した番組予定表を参照することにより、前記定期視聴番組の次回の放送予定があるか否かを確認する番組放送予定確認部と、
前記番組放送予定確認部において、前記定期視聴番組の次回の放送予定がないと確認された場合に、前記録画蓄積部に蓄積したデジタル放送番組の番組情報を読み出す録画番組情報取得部と、
前記録画番組情報取得部で取得した番組情報を前記表示部に表示させるよう制御を行う表示制御部と、
を備えたことを特徴とする番組表示装置。
【請求項１１】
デジタル放送受信装置からデジタル放送番組についての番組情報を送信する番組情報送信方法であって、
デジタル放送波を受信するデジタル放送受信ステップと、
前記デジタル放送受信ステップで受信したデジタル放送波からデジタル放送番組を選局する番組選局ステップと、
前記デジタル放送受信ステップで受信したデジタル放送波からデジタル放送の番組予定表を取得する番組予定表取得ステップと、
前記番組予定表取得ステップで取得した番組予定表を参照することにより、前記デジタル放送受信装置の使用者が定期的に視聴する定期視聴番組の次回の放送予定がないと確認された場合に、前記定期視聴番組と略同一時間帯に放送が予定されているデジタル放送番組を代替番組として選択する代替番組選択ステップと、
前記代替番組選択ステップで代替番組として選択したデジタル放送番組の番組情報を取得する代替番組情報取得ステップと、
前記代替番組情報取得ステップで取得した番組情報を前記デジタル放送受信装置の使用者が管理するメールアドレスに対して送信するメール送信ステップと、
を含むことを特徴とする番組情報送信方法。
【請求項１２】
デジタル放送番組の情報を表示可能な番組表示装置の番組情報表示方法であって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組を表示する表示ステップと、
前記デジタル放送受信ステップで受信したデジタル放送波からデジタル放送の番組予定表を取得する番組予定表取得ステップと、
前記番組予定表取得ステップで取得した番組予定表を参照することにより、前記番組表示装置の使用者が定期的に視聴する定期視聴番組の次回の放送予定がないと確認された場合に、前記定期視聴番組と略同一時間帯に放送が予定されているデジタル放送番組を代替番組として選択する代替番組選択ステップと、
前記代替番組選択ステップで代替番組として選択したデジタル放送番組の番組情報を取得する代替番組情報取得ステップと、
前記代替番組情報取得ステップで取得した番組情報を表示させるよう制御を行う表示制御ステップと、
を含むことを特徴とする番組情報表示方法。
【請求項１３】
デジタル放送受信装置にデジタル放送番組についての番組情報の送信を実行させる番組情報送信プログラムであって、
デジタル放送波を受信するデジタル放送受信ステップと、
前記デジタル放送受信ステップで受信したデジタル放送波からデジタル放送番組を選局する番組選局ステップと、
前記デジタル放送受信ステップで受信したデジタル放送波からデジタル放送の番組予定表を取得する番組予定表取得ステップと、
前記番組予定表取得ステップで取得した番組予定表を参照することにより、前記デジタル放送受信装置の使用者が定期的に視聴する定期視聴番組の次回の放送予定がないと確認された場合に、前記定期視聴番組と略同一時間帯に放送が予定されているデジタル放送番組を代替番組として選択する代替番組選択ステップと、
前記代替番組選択ステップで代替番組として選択したデジタル放送番組の番組情報を取得する代替番組情報取得ステップと、
前記代替番組情報取得ステップで取得した番組情報を前記デジタル放送受信装置の使用者が管理するメールアドレスに対して送信するメール送信ステップと、
をコンピュータに実行させることを特徴とする番組情報送信プログラム。
【請求項１４】
番組表示装置にデジタル放送番組についての情報の表示を実行させる番組情報表示プログラムであって、
デジタル放送波を受信するデジタル放送受信ステップと、
前記デジタル放送受信ステップで受信したデジタル放送波からデジタル放送番組を選局する番組選局ステップと、
前記番組選局ステップで選局したデジタル放送番組を表示する表示ステップと、
前記デジタル放送受信ステップで受信したデジタル放送波からデジタル放送の番組予定表を取得する番組予定表取得ステップと、
前記番組予定表取得ステップで取得した番組予定表を参照することにより、前記番組表示装置の使用者が定期的に視聴する定期視聴番組の次回の放送予定がないと確認された場合に、前記定期視聴番組と略同一時間帯に放送が予定されているデジタル放送番組を代替番組として選択する代替番組選択ステップと、
前記代替番組選択ステップで代替番組として選択したデジタル放送番組の番組情報を取得する代替番組情報取得ステップと、
前記代替番組情報取得ステップで取得した番組情報を表示させるよう制御を行う表示制御ステップと、
をコンピュータに実行させることを特徴とする番組情報表示プログラム。
【発明の詳細な説明】
【技術分野】
【０００１】
本発明は、デジタル放送番組の視聴技術、録画技術またはこれらの予約技術に関する。
【背景技術】
【０００２】
デジタル放送におけるドラマやバラエティ等の番組は、週毎若しくは日毎の同一時間帯に定期的に放送されるものが多い。これら週毎若しくは日毎に定期的に放送される番組を毎週若しくは毎日繰り返して視聴する場合、テレビ等のデジタル放送受信装置が前記番組を確実に自動選局できる機能を備えていると便利である。前記機能を実現する手法としては下記特許文献１に記載の技術がある。
【０００３】
下記特許文献１には、『放送を受信する手段と、放送される番組のチャンネル、番組開始終了日時及び番組名を含む電子番組表情報を取得する手段と、選局の指示操作を行う操作手段と、視聴したチャンネルと番組名とを少なくとも含む視聴履歴情報を単位時間毎に順次記憶する記憶手段と、前記電子番組表情報から現在放送中の番組を参照し、前記現在放送中の番組と同一チャンネル且つ同一番組名の視聴履歴情報が、現在から所定日数前における現在時刻と同時刻の視聴履歴情報として前記記憶手段に記憶されている場合、前記所定日数前の現在時刻と同時刻に視聴した当該番組のチャンネルに自動選局させるための情報を前記操作手段に供給する制御手段とを設けた』ことにより、『所定日数前に視聴した番組と同じ番組のチャンネルに確実に自動選局できる受信装置を提供することができる』と記載されている。
【先行技術文献】
【特許文献】
【０００４】
【特許文献１】特開２００５−２９５３８６公報
【発明の概要】
【発明が解決しようとする課題】
【０００５】
週毎若しくは日毎の同一時間帯に定期的に放送されるドラマやバラエティ等のデジタル放送番組がその定期的な放送を終了すると、翌週若しくは翌日の同一時間帯には前記デジタル放送番組とは異なる新規のデジタル放送番組が放送されることになる。このように、同一の放送時間帯であっても、放送されるデジタル放送番組が前週若しくは前日と同一のデジタル放送番組ではない場合、デジタル放送受信装置の使用者に対して前記新規のデジタル放送番組に関する情報を提示し、前記新規のデジタル放送番組が放送されることを案内するようにすると、デジタル放送受信装置としての使い勝手が向上するであろう。しかしながら、前記特許文献１には、前述の処理を実現するための技術に関する開示は為されていない。
【０００６】
本発明の目的は、上記課題を考慮し、デジタル放送番組をより好適に視聴または録画する技術を提供することにある。
【課題を解決するための手段】
【０００７】
前記課題を解決するには、例えば、特許請求の範囲に記載された構成とすればよい。
【０００８】
一例を挙げるならば、デジタル放送波を受信するデジタル放送受信部と、受信したデジタル放送波からデジタル放送番組を選局する番組選局部と、選局したデジタル放送番組を表示する表示部と、受信したデジタル放送波からデジタル放送の番組予定表を取得する番組予定表取得部と、番組予定表取得部で取得した番組予定表を参照することにより、番組表示装置の使用者が定期的に視聴する定期視聴番組の次回の放送予定がないと確認された場合に、定期視聴番組と略同一時間帯に放送が予定されているデジタル放送番組を代替番組として選択する代替番組選択部と、代替番組として選択したデジタル放送番組の番組情報を取得する代替番組情報取得部と、代替番組情報取得部で取得した番組情報を番組表示装置の使用者が管理するメールアドレスに対して送信するメール送信部と、を備えるように構成すればよい。
【発明の効果】
【０００９】
本発明の技術を用いることにより、デジタル放送番組をより好適に視聴または録画する技術を提供することが可能となる。
【図面の簡単な説明】
【００１０】
【図１】実施例に係る、番組表示装置のブロック図である。
【図２】実施例に係る、デジタル放送番組を視聴する際の処理を説明するフローチャートである。
【図３】実施例に係る、視聴情報データベースの構成を説明する概念図である。
【図４】実施例に係る、『番組名』の情報を用いた視聴履歴データベースの検索処理を説明する概念図である。
【図５】実施例に係る、定期視聴判断処理を説明する概念図である。
【図６】実施例に係る、定期視聴判断処理を説明する概念図である。
【図７】実施例に係る、定期視聴番組データベースの構成を説明する概念図である。
【図８】実施例に係る、自動録画予約処理を説明するフローチャートである。
【図９】実施例に係る、放送予定確認処理（放送予定がある場合）を説明する概念図である。
【図１０】実施例に係る、自動録画予約一覧の構成を説明する概念図である。
【図１１】実施例に係る、自動録画処理を説明するフローチャートである。
【図１２】実施例に係る、放送予定確認処理（放送予定がない場合）を説明する概念図である。
【図１３】実施例に係る、新番組案内処理を説明するフローチャートである。
【図１４】実施例に係る、新番組を案内するメールの記述内容の例を説明する概念図である。
【図１５】実施例に係る、新番組案内情報の表示例を説明する画面表示図である。
【図１６】実施例に係る、録画番組の視聴を推奨するメールの記述内容の例を説明する概念図である。
【図１７】実施例に係る、録画番組案内情報の表示例を説明する画面表示図である。
【発明を実施するための形態】
【００１１】
以下、本発明の実施形態の例を、図面を用いて説明する。
【００１２】
図１は、本実施例の番組表示装置のブロック図である。番組表示装置１００は、主制御部１０１、システムバス１０２、ＲＯＭ１０３、ＲＡＭ１０４、放送受信部１１０、表示部１２１、表示処理部１２２、スピーカ１２３、音声処理部１２４、ストレージ部１３０、視聴状況解析部１４０、メール処理部１５０、外部インタフェース１６０、操作部１７０、で構成される。
【００１３】
番組表示装置１００は、デジタル放送番組の録画再生機能を内蔵する録画機能付きテレビ装置であっても良いし、録画再生機能を内蔵せず、外部に接続したＨＤＤ（Ｈａｒｄ  Ｄｉｓｃ  Ｄｒｉｖｅ）装置等にデジタル放送番組の録画再生を行うことが可能な録画対応テレビ装置であっても良い。デジタル放送番組の録画再生に対応しないテレビ装置であっても良い。インターネット等のネットワーク上で所定のスケジュールに従って配信されるデジタル配信番組の受信機能を有するインターネット対応テレビ装置であっても良い。また、デジタル放送受信機能及び受信したデジタル放送番組の録画再生機能を有する携帯電話やタブレット端末、据え置き型／携行型ＰＣ（Ｐｅｒｓｏｎａｌ  Ｃｏｍｐｕｔｅｒ）、ゲーム機等であっても良い。更には、ＨＤＤレコーダやＢＤ（Ｂｌｕ−ｒａｙ  Ｄｉｓｃ）レコーダ等の録画再生機器とモニタ装置の組み合わせであっても良い。デジタル放送の受信及び／またはインターネット等のネットワーク上で所定のスケジュールに従って配信されるデジタル配信番組の受信が可能なＳＴＢ（Ｓｅｔ  Ｔｏｐ  Ｂｏｘ）とモニタ装置の組み合わせであっても良い。
【００１４】
主制御部１０１は、所定のプログラムに従って番組表示装置１００全体を制御するマイクロプロセッサユニットである。システムバス１０２は主制御部１０１と番組表示装置１００内の各部との間でデータ送受信を行うためのデータ通信路である。ＲＯＭ（Ｒｅａｄ  Ｏｎｌｙ  Ｍｅｍｏｒｙ）１０３は、オペレーティングシステムや所定のアプリケーションプログラムなど、番組表示装置１００の基本動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＯＭ１０３に格納されたプログラムを更新することにより、基本動作プログラムのバージョンアップや機能拡張が可能であるものとする。なお、ＲＯＭ１０３は、図１に示したような独立構成とはせず、後述のストレージ部１３０内の一部記憶領域を使用しても良い。ＲＡＭ（Ｒａｎｄｏｍ  Ａｃｃｅｓｓ  Ｍｅｍｏｒｙ）１０４は基本動作プログラム若しくは各アプリケーション実行時のワークエリアとなる。また、ＲＯＭ１０３及びＲＡＭ１０４は主制御部１０１と一体構成であっても良い。
【００１５】
放送受信部１１０は、デジタル放送波の受信及びデコード等の信号処理を行う。特に、チューナ１１１は、図示を省略したアンテナが受信したデジタル放送波から番組表示装置１００の使用者が選局したチャンネルの信号を抽出し、ＴＳ（Ｔｒａｎｓｐｏｒｔ  Ｓｔｒｅａｍ）信号を復調する。分離部１１２は、前記ＴＳ信号をそれぞれパケット化された映像データと音声データと付随情報データとに分離し、映像データは映像デコーダ１１３に、音声データは音声デコーダ１１４に、付随情報データは情報デコーダ１１５に出力する。映像デコーダ１１３は、分離部１１２から出力された映像データをデコードし、映像信号として表示処理部１２２に出力する。音声デコーダ１１４は、分離部１１２から出力された音声データをデコードし、音声信号として音声処理部１２４に出力する。情報デコーダ１１５は、分離部１１２から出力された付随情報データを処理するものであり、特に各番組の番組名、ジャンル、放送開始／終了日時、等の番組情報を含むＳＩ（Ｓｅｒｖｉｃｅ  Ｉｎｆｏｒｍａｔｉｏｎ）情報等を取得する。
【００１６】
表示部１２１は、例えば液晶パネルのような表示デバイスであり、表示処理部１２２で処理した映像信号を番組表示装置１００の使用者に提供する。また、表示処理部１２２は、入力した映像信号に対して、必要に応じてフォーマット変換、メニューやその他のＯＳＤ（Ｏｎ  Ｓｃｒｅｅｎ  Ｄｉｓｐｌａｙ）信号の重畳処理等も行う。スピーカ１２３は音声処理部１２４で処理した音声信号を番組表示装置１００の使用者に提供する。
【００１７】
ストレージ部１３０は、番組表示装置１００の各動作設定値や番組表示装置１００の使用者の個人情報（メールアドレスやスケジュール等）、番組表示装置１００で動作する各種のアプリケーションの記憶に使用する他、デジタル放送番組の録画等に使用する。ストレージ部１３０は、番組表示装置１００の使用者が所有する携帯端末のメールアドレス等の個人情報を記憶する個人情報記憶領域１３１、番組表示装置１００の使用者が視聴したデジタル放送番組に関する視聴履歴データ等の情報を記憶する視聴情報記憶領域１３２、デジタル放送番組の録画及びデジタル放送番組録画に関連する情報（録画予約情報等）を記憶する番組記録領域１３３、及びその他情報憶記憶領域１３４、で構成される。
【００１８】
なお、その他情報記憶領域１３４の一部領域を以ってＲＯＭ１０３の機能の全部または一部を代替しても良い。また、番組表示装置１００は、インターネット等のネットワーク上に接続されたアプリケーションサーバから新規アプリケーションをダウンロードすることにより、機能拡張をすることが可能であるものとする。この際、ダウンロードした前記新規アプリケーションはその他情報記憶領域１３４に記憶される。その他情報記憶領域１３４に記憶された前記新規アプリケーションがＲＡＭ１０４上に展開されて実行されることにより、番組表示装置１００は多種の新規機能を実現可能であるものとする。
【００１９】
ストレージ部１３０は、番組表示装置１００に電源が供給されていない状態であっても記憶している情報を保持する必要がある。したがって、例えばフラッシュＲＯＭやＳＳＤ（Ｓｏｌｉｄ  Ｓｔａｔｅ  Ｄｒｉｖｅ）、ＨＤＤ等のデバイスが用いられる。
【００２０】
視聴状況解析部１４０は、ストレージ部１３０内の視聴情報記憶領域１３２を参照することにより、番組表示装置１００の使用者が選局したデジタル放送番組が、前記使用者が週毎若しくは日毎に定期的に視聴している番組か否かを判断する処理（以下、定期視聴判断処理と称す）を行う。なお、図１においては、視聴状況解析部１４０を独立した構成として記述しているが、主制御部１０１がＲＡＭ１０４をワークエリアとして同機能を実現するように動作しても良い。
【００２１】
メール処理部１５０は、所定のメールアドレスへのメール送信及びメール受信の制御を行うメール送受信部１５１と、送信メールの作成及び受信メールの解析等を行うメール制御部１５２、で構成される。なお、図１においては、メール処理部１５０を独立した構成として記述しているが、主制御部１０１がＲＡＭ１０４をワークエリアとして同機能を実現するように動作しても良い。また、送信したメール及び受信したメールの履歴はストレージ部１３０内のその他情報記憶領域１３４に記憶可能であるものとする。
【００２２】
外部インタフェース１６０は、番組表示装置１００の機能を拡張するためのインタフェース群であり、本実施例では、ＬＡＮ（Ｌｏｃａｌ  Ａｒｅａ  Ｎｅｔｗｏｒｋ）インタフェース１６１、音声入出力部１６２、映像入出力部１６３、ＵＳＢ（Ｕｎｉｖｅｒｓａｌ  Ｓｅｒｉａｌ  Ｂｕｓ）インタフェース１６４、で構成される。ＬＡＮインタフェース１６１は、インターネット等のネットワークと有線または無線通信により接続して情報の送受を行う。ＬＡＮインタフェース１６１は符号回路や復号回路等を備えるものとする。音声入出力部１６２及び映像入出力部１６３は、外部音声／映像出力機器からの音声信号／映像信号の入力、外部音声／映像入力機器への音声信号／映像信号の出力を行う。番組表示装置１００がＨＤＤレコーダやＢＤレコーダ等の場合、音声入出力部１６２及び映像入出力部１６３にモニタ装置等を接続すれば良い。ＵＳＢインタフェース１６４はキーボード等のＵＳＢ機器若しくはメモリカード類の接続等を行う。番組表示装置１００が録画再生機能を内蔵せず外部に接続したＨＤＤ装置等にデジタル放送番組の録画を行う場合、ＵＳＢインタフェース１６４に外部ＨＤＤ装置等を接続すれば良い。
【００２３】
操作部１７０は、番組表示装置１００に対する操作指示の入力を行う指示入力部であり、本実施例では、ボタンスイッチを並べた操作キー１７１及び図示を省略したリモコンからの赤外線信号を受信するリモコン受信部１７２で構成される。人感センサ１７３は番組表示装置１００周辺の人物の存在を検出する。前記検出した情報に基づき、主制御部１０１は、番組表示装置１００の電源制御等を行うことが可能であるものとする。なお、操作キー１７１に代替して、表示部１２１に重ねて配置したタッチパネルを用いて番組表示装置１００の操作を行っても良い。両者を併用しても良い。ＵＳＢインタフェース１６４に接続したキーボード等を用いて番組表示装置１００の操作を行っても良い。ＬＡＮインタフェース１６１を介して接続した携帯端末やＰＣ等を用いて番組表示装置１００の操作を行っても良い。
【００２４】
なお、図１に示した番組表示装置１００の構成例は、音声入出力部１６２や映像入出力部１６３、ＵＳＢインタフェース１６４等、本発明に必須ではない構成も多数含んでいるが、これらが無くとも本発明の効果を損なうことはない。また、移動体電話網通信を可能とする通信部や、加速度センサ、ジャイロセンサ、地磁気センサ、ＧＰＳ受信部等の構成を更に含むものであっても良い。
【００２５】
本実施例の番組表示装置１００は、デジタル放送番組を視聴する際に、視聴履歴記憶処理、定期視聴判断処理及び定期視聴番組データの登録処理を行う。以下に、本実施例の番組表示装置１００がデジタル放送番組の視聴の際に行う、視聴履歴記憶処理、定期視聴判断処理及び定期視聴番組データの登録処理に関して説明する。
【００２６】
図２は、本実施例の番組表示装置１００の、デジタル放送番組を視聴する際の処理を説明するフローチャートである。
【００２７】
デジタル放送番組の視聴を行う際、番組表示装置１００の使用者が図示を省略したリモコン等を操作して行った選局指示により、チューナ１１１はデジタル放送波から所望のチャンネルのＴＳ信号を抽出する。更に、映像デコーダ１１３及び音声デコーダ１１４でのデコード処理で得た映像信号及び音声信号を、表示処理部１２２及び音声処理部１２４を介して、表示部１２１及びスピーカ１２３が出力する（Ｓ１０１）。また、情報デコーダ１１５は、選局したデジタル放送番組の『番組名』、『番組ジャンル』、『放送日（曜日）』、『放送開始時刻』及び『放送終了時刻』、等の番組情報を、付随情報データから取得する（Ｓ１０２）。
【００２８】
次に、視聴状況解析部１４０が、視聴情報記憶領域１３２内の視聴情報データベースを検索して、Ｓ１０１で選局したデジタル放送番組と同一若しくは略同一の番組名の情報を有する視聴履歴データを抽出する（Ｓ１０３）。更に、視聴状況解析部１４０は、Ｓ１０３の検索処理で得た視聴履歴データの抽出結果を解析することにより、Ｓ１０１で選局したデジタル放送番組が、番組表示装置１００の使用者が週毎若しくは日毎に定期的に視聴している番組か否かを判断する処理を行う（Ｓ１０４）。Ｓ１０３及びＳ１０４における定期視聴判断処理の結果、Ｓ１０１で選局したデジタル放送番組が、番組表示装置１００の使用者が週毎若しくは日毎に定期的に視聴している番組であると判断された場合、主制御部１０１は、Ｓ１０１で選局したデジタル放送番組の情報を、定期視聴番組データとして、視聴情報記憶領域１３２内の定期視聴番組データベースに登録する処理を行う（Ｓ１０５）。一方、Ｓ１０１で選局したデジタル放送番組が、番組表示装置１００の使用者が週毎若しくは日毎に定期的に視聴している番組ではないと判断された場合には、主制御部１０１はＳ１０５の処理を行わない。
【００２９】
また、主制御部１０１は、Ｓ１０２で取得した番組情報を、視聴履歴データとして、視聴情報記憶領域１３２内の視聴情報データベースに記憶させる、視聴履歴記憶処理を実行する（Ｓ１０６）。
【００３０】
視聴履歴記憶処理に関して、以下に説明する。
【００３１】
図３は、視聴情報記憶領域１３２内に構築される視聴情報データベースの構成を示す図である。本実施例の視聴履歴記憶処理では、Ｓ１０１で選局して視聴したデジタル放送番組のそれぞれに関して、Ｓ１０２で取得した番組情報のうちの、『番組名』、『チャンネル』、『放送日（曜日）』、『放送開始時刻』と『放送終了時刻』の情報を、視聴履歴データとして、視聴情報記憶領域１３２内の視聴情報データベースに記憶させる処理を行う。Ｓ１０２で取得した番組情報の『番組ジャンル』や『検索タグ』等の情報を、更に記憶させるようにしても良い。また、同一のチャンネルで時間的に連続する複数のデジタル放送番組を継続して視聴する場合は、それぞれのデジタル放送番組毎に視聴履歴記憶処理を行うようにする。
【００３２】
なお、視聴情報記憶領域１３２内の視聴情報データベースは、直近の一カ月程度の視聴履歴データのみを記憶しておくようにし、それよりも古いものは適宜消去するようにしても良い。視聴状況解析部１４０が定期視聴判断処理を行うためには、直近の一カ月程度の視聴履歴データがあれば十分であり、また、視聴情報記憶領域１３２内の視聴情報データベースの必要容量の増大を防ぐことができる。更に、放送時間長が所定値（例えば、１０分）以下のデジタル放送番組や、所定の番組ジャンル（例えば、ニュース、天気予報、等）の情報を有するデジタル放送番組に対しては、視聴履歴記憶処理を行わないようにしても良い。この場合も、視聴情報記憶領域１３２内の視聴情報データベースの必要容量の増大を防ぐことができる。
【００３３】
定期視聴判断処理では、Ｓ１０３の検索処理で得た視聴履歴データの抽出結果を解析することにより、Ｓ１０１で選局したデジタル放送番組が、番組表示装置１００の使用者が週毎若しくは日毎に定期的に視聴している番組であるか否かを判断する処理を行う。定期視聴判断処理に関して、以下に説明する。
【００３４】
Ｓ１０３では、図４に示すように、視聴状況解析部１４０が、Ｓ１０１で選局したデジタル放送番組の番組情報（図４（Ａ））の『番組名』の情報を用いて、視聴情報記憶領域１３２内の視聴情報データベース（図４（Ｂ））を検索し、Ｓ１０１で選局したデジタル放送番組と同一若しくは略同一の番組名の情報を有する視聴履歴データの抽出結果（図４（Ｃ））を得る。更に、Ｓ１０４において視聴状況解析部１４０は、図５に示すように、Ｓ１０１で選局したデジタル放送番組の番組情報（図５（Ａ））と、Ｓ１０３の検索処理で得た視聴履歴データの抽出結果（図５（Ｃ））の、『チャンネル』、『放送日（曜日）』、『放送開始時刻』及び『放送終了時刻』の情報を比較することにより、Ｓ１０１で選局したデジタル放送番組が、番組表示装置１００の使用者が週毎若しくは日毎に定期的に視聴している番組であるか否かを判断する。
【００３５】
具体的には、Ｓ１０３の検索処理で得た視聴履歴データの抽出結果（図５（Ｃ））の中に、Ｓ１０１で選局したデジタル放送番組の番組情報（図５（Ａ））と、『チャンネル』の情報が同一であり、且つ『放送開始時刻』及び『放送終了時刻』の情報が略同一となる視聴履歴データが存在する場合には、Ｓ１０１で選局したデジタル放送番組が、番組表示装置１００の使用者が日毎に定期的に視聴している番組であると判断する。また、Ｓ１０３の検索処理で得た視聴履歴データの抽出結果（図５（Ｃ））の中に、Ｓ１０１で選局したデジタル放送番組の番組情報（図５（Ａ））と、『チャンネル』の情報が同一であり、且つ『放送開始時刻』及び『放送終了時刻』の情報が略同一となる視聴履歴データが存在し、更に、前記視聴履歴データの『放送日（曜日）』の曜日情報が同一である場合には、Ｓ１０１で選局したデジタル放送番組が、番組表示装置１００の使用者が週毎に定期的に視聴している番組であると判断する。
【００３６】
定期視聴判断処理の例を、図６を用いて説明する。図６において、図６（Ａ）はＳ１０１で選局したデジタル放送番組の番組情報であり、図６（Ｃ１）〜（Ｃ３）はそれぞれＳ１０３の検索処理で得た視聴履歴データの抽出結果である。
【００３７】
例えば、Ｓ１０３の検索処理で得た視聴履歴データの抽出結果が図６（Ｃ１）に示したものであるとする。この場合、Ｓ１０３の検索処理で得た視聴履歴データの抽出結果（図６（Ｃ１））の中に、Ｓ１０１で選局したデジタル放送番組の番組情報（図６（Ａ））と、『チャンネル』の情報が同一であり、且つ『放送開始時刻』及び『放送終了時刻』の情報が略同一となる視聴履歴データが存在し、更に、前記視聴履歴データの『放送日（曜日）』の曜日情報が同一である。したがって、Ｓ１０１で選局したデジタル放送番組は、番組表示装置１００の使用者が週毎に定期的に視聴している番組であると判断する。
【００３８】
なお、本実施例の定期視聴判断処理で『放送開始時刻』及び『放送終了時刻』の情報を比較する際は、Ｓ１０１で選局したデジタル放送番組の番組情報（図６（Ａ））の『放送開始時刻』及び『放送終了時刻』の情報に対して、Ｓ１０３の検索処理で得た視聴履歴データの抽出結果（図６（Ｃ１））の『放送開始時刻』及び『放送終了時刻』の情報が、それぞれ一〜二時間程度ずれている場合であっても、これを許容し、略同一であるものとして取り扱うようにすると良い。前記処理により、スポーツ中継等の延長による放送時間のシフトや、特別編成等による放送時間の拡大等に対応することが可能となる。
【００３９】
また、例えば、Ｓ１０３の検索処理で得た視聴履歴データの抽出結果が図６（Ｃ２）に示したものであるとする。Ｓ１０３の検索処理で得た視聴履歴データの抽出結果（図６（Ｃ２））の中の『７月３日（火）』の視聴履歴データは、Ｓ１０１で選局したデジタル放送番組の番組情報（図６（Ａ））と比較して、『チャンネル』の情報が同一であり、『放送日（曜日）』の曜日情報が同一であるが、『放送開始時刻』及び『放送終了時刻』の情報が大きく異なる（略同一ではない）。即ち、この場合、Ｓ１０３の検索処理で得た視聴履歴データの抽出結果（図６（Ｃ２））の中に、Ｓ１０１で選局したデジタル放送番組の番組情報（図６（Ａ））と、『チャンネル』の情報が同一であり、且つ『放送開始時刻』及び『放送終了時刻』の情報が略同一となる視聴履歴データが存在しない。したがって、Ｓ１０１で選局したデジタル放送番組は、番組表示装置１００の使用者が週毎若しくは日毎に定期的に視聴している番組ではないと判断する。
【００４０】
また、例えば、Ｓ１０３の検索処理で得た視聴履歴データの抽出結果が図６（Ｃ３）に示したものであるとする。Ｓ１０３の検索処理で得た視聴履歴データの抽出結果（図６（Ｃ３））の中の『６月１９日（火）』の視聴履歴データは、Ｓ１０１で選局したデジタル放送番組の番組情報（図６（Ａ））と比較して、『放送開始時刻』及び『放送終了時刻』の情報が（略）同一であり、『放送日（曜日）』の曜日情報が同一であるが、『チャンネル』の情報が同一ではない。即ち、この場合、Ｓ１０３の検索処理で得た視聴履歴データの抽出結果（図６（Ｃ３））の中に、Ｓ１０１で選局したデジタル放送番組の番組情報（図６（Ａ））と、『チャンネル』の情報が同一であり、且つ『放送開始時刻』及び『放送終了時刻』の情報が略同一となる視聴履歴データが存在しない。したがって、Ｓ１０１で選局したデジタル放送番組は、番組表示装置１００の使用者が週毎若しくは日毎に定期的に視聴している番組ではないと判断する。
【００４１】
なお、定期視聴判断処理における、Ｓ１０１で選局したデジタル放送番組が、番組表示装置１００の使用者が週毎若しくは日毎に定期的に視聴している番組であるか否かを判断するための方法は、前述の例に限らず、異なるアルゴリズムを用いても良い。
【００４２】
定期視聴番組データの登録処理に関して、以下に説明する。
【００４３】
図７は、視聴情報記憶領域１３２内に構築される定期視聴番組データベースの構成を示す図である。本実施例の定期視聴番組データの登録処理では、Ｓ１０３及びＳ１０４における定期視聴判断処理の結果、番組表示装置１００の使用者が週毎若しくは日毎に定期的に視聴している番組であると判断されたデジタル放送番組のそれぞれに関して、主制御部１０１が、Ｓ１０２で取得した番組情報のうちの、『番組名』、『チャンネル』、『放送開始時刻』と『放送終了時刻』の情報を、定期視聴番組データとして、視聴情報記憶領域１３２内の定期視聴番組データベースに記憶させる処理を行う。同時に、前記デジタル放送番組が、週毎に定期的に視聴されている番組であると判断されたか、或いは、日毎に定期的に視聴されている番組であると判断されたか、を区別するフラグも記憶させるようにする。また、前記フラグ及びＳ１０２で取得した番組情報の『放送日（曜日）』の情報から推測した、前記デジタル放送番組の次回の放送予定の日付を、『放送予定日』として記憶させる。更に、前記デジタル放送番組の情報を視聴情報記憶領域１３２内の定期視聴番組データベースに登録した日の日付を『登録日』として記憶させるようにする。
【００４４】
前記視聴履歴記憶処理、前記定期視聴判断処理及び前記定期視聴番組データの登録処理は、Ｓ１０２において情報デコーダ１１５が付随情報データから番組情報を取得した直後に行っても良いが、前記選局したデジタル放送番組を表示部１２１へ表示する処理をある程度以上の時間継続させた後に行うことがより望ましい。
【００４５】
なお、前記『ある程度以上の時間』とは、例えば、『放送時間長の５０％以上（放送時間長が５４分のデジタル放送番組の場合は２７分以上）の時間』等と設定すれば良い。『放送時間長の４０％以上の時間』や『放送時間長の６０％以上の時間』等と設定しても良い。但し、あまり短い時間（例えば、『放送時間長の１０％以上の時間』等）に設定すると、選局後に殆ど視聴しなかったデジタル放送番組であっても、視聴情報記憶領域１３２内の視聴情報データベースに視聴履歴データが記憶されてしまう等、好ましくない。逆に、あまり長い時間（例えば、『放送時間長の９０％以上の時間』等）に設定すると、ドラマ等で本編を視聴し終えたにもかかわらず、次回予告の部分を見なかったために、視聴情報記憶領域１３２内の視聴情報データベースへの視聴履歴データの記憶が行われない等、これも好ましくない。
【００４６】
即ち、前記『ある程度以上の時間』が短すぎても長すぎても、正しい視聴履歴データの記憶が行われないことになる。このため、前記『ある程度以上の時間』は短すぎず長すぎない適度な値（放送時間長の３０〜７０％程度）を設定すると良い。
【００４７】
また、図２では、Ｓ１０３〜Ｓ１０５の処理を行った後にＳ１０６の処理を行うように記載しているが、Ｓ１０６の処理を先に行い、後でＳ１０３〜Ｓ１０５の処理を実行するようにしても良い。Ｓ１０３〜Ｓ１０５の処理とＳ１０６の処理を同時に並行して実行しても良い。
【００４８】
次に、本実施例の番組表示装置１００は、視聴情報記憶領域１３２内の定期視聴番組データベースに登録されている定期視聴番組データ及び情報デコーダ１１５が付随情報データから取得するデジタル放送の番組表を参照することにより、前記定期視聴番組データに示されるデジタル放送番組の自動録画予約処理を行う。以下に、本実施例の番組表示装置１００が行う自動録画予約処理に関して説明する。
【００４９】
図８は、本実施例の番組表示装置１００が行う、視聴情報記憶領域１３２内の定期視聴番組データベースに登録されている定期視聴番組データに示されるデジタル放送番組の自動録画予約処理を説明するフローチャートである。
【００５０】
自動録画予約処理においては、まず、主制御部１０１が視聴情報記憶領域１３２内の定期視聴番組データベースに登録されている定期視聴番組データを読み込む（Ｓ２０１）。次に、主制御部１０１は、デジタル放送の番組表を参照することにより、Ｓ２０１で読み込んだ定期視聴番組データに示されるデジタル放送番組の放送予定があるか否かを確認する、放送予定確認処理を行う（Ｓ２０２）。
【００５１】
デジタル放送では、一週間程度先までのデジタル放送番組の放送予定を、デジタル放送の番組表として、デジタル放送受信機能を有する各装置に対して提供することが一般的である。したがって、Ｓ２０２の放送予定確認処理では、主制御部１０１が、Ｓ２０１で読み込んだ定期視聴番組データの各情報を用いて前記デジタル放送の番組表を検索することにより、Ｓ２０１で読み込んだ定期視聴番組データに示されるデジタル放送番組の放送予定があるか否かを確認する。
【００５２】
放送予定確認処理の例を、図９を用いて説明する。なお、以下の説明では、Ｓ２０１で視聴情報記憶領域１３２内の定期視聴番組データベースから読み込んだ定期視聴番組データは、図７に示したものであるとする。
【００５３】
例えば、提供されたデジタル放送の番組表が図９に示したものであるとする。この場合、主制御部１０１は、まず、Ｓ２０１で読み込んだ前記定期視聴番組データの『放送予定日』及び『チャンネル』の情報に示される、『７月１７日（火）』の『０６１』チャンネルのデジタル放送の番組表を参照する。更に、『２０時００分から２２時５４分まで』の時間範囲で、前記定期視聴番組データの『番組名』の情報と同一若しくは略同一の番組名を有するデジタル放送番組を検索することにより、前記定期視聴番組データに示されるデジタル放送番組の放送予定があるか否かの確認を行う。この結果、図９に示した例では、『７月１７日（火）』の『０６１』チャンネルの『２１時３０分から２２時２４分まで』に、『ＡＡＡ  （第８回）』という番組名を有するデジタル放送番組の放送予定があることを確認する。
【００５４】
なお、本実施例の放送予定確認処理でデジタル放送の番組表を検索する際は、前記定期視聴番組データの『放送開始時刻』及び『放送終了時刻』の情報に示される『２１時００分から２１時５４分まで』の時間範囲に対して、前後に一時間分の余裕を持たせた『２０時００分から２２時５４分まで』の時間範囲を検索するようにしている。このようにすることにより、スポーツ中継等の延長による放送時間のシフトや、特別編成等による放送時間の拡大等に対応することが可能となる。
【００５５】
前記定期視聴番組データの『放送開始時刻』及び『放送終了時刻』の情報に示される『２１時００分から２１時５４分まで』の時間範囲に対して、前後に二時間分の余裕を持たせた『１９時００分から２３時５４分まで』の時間範囲を検索するようにしても良い。このように、検索対象となる時間範囲を広げれば、前記定期視聴番組データに示されるデジタル放送番組の放送予定があるか否かを確認する処理において、確認漏れの可能性を低減することが可能となる。但し、検索対象となる時間範囲を広げると検索処理に要する負荷も増大するため、検索対象となる時間範囲は、前記定期視聴番組データの『放送開始時刻』及び『放送終了時刻』の情報に示される時間範囲に対して、前後一〜二時間分程度の余裕を持たせた時間範囲を設定するようにしておくことが望ましい。
【００５６】
図８のフローチャートの処理において、Ｓ２０２の放送予定確認処理で、Ｓ２０１で視聴情報記憶領域１３２内の定期視聴番組データベースから読み込んだ定期視聴番組データに示されるデジタル放送番組の放送予定があることが確認された場合、主制御部１０１は、次に、前記放送予定があることが確認されたデジタル放送番組が、通常録画予約番組（番組表示装置１００の使用者の指示により録画予約されたデジタル放送番組）として、番組記録領域１３３内の通常録画予約一覧に登録されているか否かを確認する処理を行う（Ｓ２０３）。更に、Ｓ２０３において、前記放送予定があることが確認されたデジタル放送番組が番組記録領域１３３内の通常録画予約一覧に登録されていない場合、前記放送予定があることが確認されたデジタル放送番組を、自動録画予約番組として、番組記録領域１３３内の自動録画予約一覧に登録する処理を行う（Ｓ２０４）。
【００５７】
図１０は、番組記録領域１３３内に構築される自動録画予約一覧の構成を示す図である。本実施例では、デジタル放送の番組表から取得した自動録画予約番組の情報の、『番組名』、『チャンネル』、『放送予定日』、『放送開始時刻』と『放送終了時刻』の情報を登録する。なお、図１０に示した例は、提供されたデジタル放送の番組表が図９に示したものであり、Ｓ２０２の放送予定確認処理で、Ｓ２０１で視聴情報記憶領域１３２内の定期視聴番組データベースから読み込んだ定期視聴番組データに示されるデジタル放送番組の放送予定として、『７月１７日（火）』の『０６１』チャンネルの『２１時３０分から２２時２４分まで』放送される『ＡＡＡ  （第８回）』という番組名のデジタル放送番組が確認された場合の例を示している。
【００５８】
一方、Ｓ２０３において、前記放送予定があることが確認されたデジタル放送番組が番組記録領域１３３内の通常録画予約一覧に既に登録されている場合、或いは、Ｓ２０２の放送予定確認処理で、Ｓ２０１で視聴情報記憶領域１３２内の定期視聴番組データベースから読み込んだ定期視聴番組データに示されるデジタル放送番組の放送予定がないことが確認された場合、主制御部１０１は、Ｓ２０４の処理を行わず、前記定期視聴番組データを、視聴情報記憶領域１３２内の定期視聴番組データベースから削除する処理を行う（Ｓ２０５）。
【００５９】
次に、本実施例の番組表示装置１００は、番組記録領域１３３内の自動録画予約一覧に登録した自動録画予約番組を、番組表示装置１００の動作状態に応じて録画する自動録画処理を行う。図１１は、自動録画予約一覧に登録した自動録画予約番組の自動録画処理を説明するフローチャートである。
【００６０】
自動録画処理では、主制御部１０１が、まず、番組記録領域１３３内の自動録画予約一覧に登録されている自動録画予約番組の各情報を確認する（Ｓ３０１）。この後、Ｓ３０１で確認した前記自動録画予約番組の『放送開始時刻』に示される時刻の所定時間前（例えば、３０秒前）まで待機（Ｓ３０２）し、次に、主制御部１０１が番組表示装置１００の動作状態の確認を行う（Ｓ３０３）。
【００６１】
Ｓ３０３における動作状態の確認の結果、番組表示装置１００が電源オフ状態であると判断された場合、主制御部１０１は、番組表示装置１００を録画スタンバイ状態に移行させ、更に、前記自動録画予約番組の『放送開始時刻』に示される時刻の所定時間前（例えば、３秒前）まで再度待機する（Ｓ３０４）。その後、前記自動録画予約番組を選局して、自動録画を開始する（Ｓ３０５）。Ｓ３０５において、前記自動録画予約番組の自動録画を開始した後、若しくは前記自動録画の終了後、主制御部１０１は、前記自動録画予約番組の情報を番組記録領域１３３内の自動録画予約一覧から削除する（Ｓ３０６）。
【００６２】
なお、本実施例においては、前記電源オフ状態とは、少なくとも主制御部１０１への通電が行われた状態で、且つ表示部１２１での映像表示が行われていない状態を指す。また、前記録画スタンバイ状態とは、少なくとも主制御部１０１及び放送受信部１１０、ストレージ部１３０への通電が行われた状態で、デジタル放送番組の録画をすぐに開始可能であり、且つ表示部１２１での映像表示が行われていない状態を指す。
【００６３】
一方、Ｓ３０３における動作状態の確認の結果、番組表示装置１００が電源オン状態であると判断された場合は、主制御部１０１は、Ｓ３０４及びＳ３０５の処理を行わずに、前記自動録画予約番組の情報を番組記録領域１３３内の自動録画予約一覧から削除する処理を行う（Ｓ３０６）。
【００６４】
なお、本実施例においては、前記電源オン状態とは、表示部１２１で映像表示が行われている状態を指す。即ち、Ｓ３０３における動作状態の確認の結果、番組表示装置１００が電源オン状態であると判断された場合とは、番組表示装置１００の使用者が、番組表示装置１００を使用して何らかのデジタル放送番組を視聴している場合が考えられる。したがって、番組表示装置１００の使用者は番組表示装置１００を使用して前記自動録画予約番組を視聴可能であると判断し、自動録画を開始しないようにする。
【００６５】
また、本実施例の番組表示装置１００は、図８のフローチャートのＳ２０２の処理において、Ｓ２０１で読み込んだ定期視聴番組データに示されるデジタル放送番組の放送予定がないことが確認された場合、番組表示装置１００の使用者に対して、代替となるデジタル放送番組の情報を案内する機能を有するものである。
【００６６】
番組表示装置１００の使用者が週毎若しくは日毎の同一時間帯に定期的に視聴していたデジタル放送番組がその定期的な放送を終了若しくは休止した場合、当然ながら、その翌週若しくは翌日の同一時間帯には、前記定期的に視聴していたデジタル放送番組とは異なる新規のデジタル放送番組が放送されることになる。この場合、番組表示装置１００の使用者が、前記定期的に視聴していたデジタル放送番組に引き続き、前記新規のデジタル放送番組も視聴する可能性が高いと考えられる。
【００６７】
デジタル放送番組を定期的に視聴していたということは、番組表示装置１００の使用者は、そのデジタル放送番組が放送される時間帯に、前記デジタル放送番組を視聴するための時間を確保することが可能であった、ということであり、これは、前記新規のデジタル放送番組の放送時も同様であると考えられるためである。即ち、本実施例の番組表示装置１００は、番組表示装置１００の使用者がデジタル放送番組を視聴するための時間を確保することが可能な時間帯に放送される予定のデジタル放送番組の情報を案内するための処理を行うように動作する。
【００６８】
例えば、番組表示装置１００の使用者が、図４（Ａ）に示したように、『７月１０日（火）』の『０６１』チャンネルの『２１時００分から２１時５４分まで』に放送された『ＡＡＡ  （第７回）』という番組名のデジタル放送番組を視聴し、図２のフローチャートのＳ１０３及びＳ１０４における定期視聴判断処理の結果、前記視聴したデジタル放送番組が、番組表示装置１００の使用者が週毎に定期的に視聴しているデジタル放送番組であると判断されたものとする。この場合、主制御部１０１は、次に、定期視聴番組データの登録処理により、定期視聴番組データとして、前記視聴したデジタル放送番組の情報に基づいて推測した前記視聴したデジタル放送番組の次回放送予定の情報を、視聴情報記憶領域１３２内の定期視聴番組データベースに登録する。
【００６９】
更に、デジタル放送から提供されるデジタル放送の番組表が図１２に示すものである場合、図８のフローチャートのＳ２０２の放送予定確認処理において、主制御部１０１は、まず、Ｓ２０１で読み込んだ前記定期視聴番組データ（図７に示したもの）の『放送予定日』及び『チャンネル』の情報に示される、『７月１７日（火）』の『０６１』チャンネルのデジタル放送の番組表を参照し、更に、『２０時００分から２２時５４分まで』の時間範囲で、前記定期視聴番組データの『番組名』の情報と同一若しくは略同一の番組名を有するデジタル放送番組を検索することにより、前記定期視聴番組データに示されるデジタル放送番組の放送予定がないことを確認する。
【００７０】
前記定期視聴番組データに示されるデジタル放送番組の放送予定がないことが確認された場合、主制御部１０１は、図８のフローチャートのＳ２０５において、前記定期視聴番組データを視聴情報記憶領域１３２内の定期視聴番組データベースから削除する処理を行うと同時に、前記時間範囲の中で放送が予定されているデジタル放送番組の情報を番組表示装置１００の使用者に案内する処理を行う。
【００７１】
本実施例の番組表示装置１００が、番組表示装置１００の使用者が週毎若しくは日毎に定期的に視聴していたデジタル放送番組の代替として、番組表示装置１００の使用者に案内するデジタル放送番組は、前記時間範囲の中で放送が予定されている全てのデジタル放送番組であっても良いし、前記時間範囲の中で新規に週毎若しくは日毎の定期的な放送を開始するデジタル放送番組のみであっても良いし、前記時間範囲の中で放送局の行う特別編成等により単発的に放送される特別番組／特集番組／スペシャル番組の類のデジタル放送番組であっても良い。また、前記番組表示装置１００の使用者に案内するデジタル放送番組は、Ｓ２０１で読み込んだ前記定期視聴番組データの情報に示されていた『チャンネル』と同一のチャンネルのデジタル放送番組のみであっても良いし、異なるチャンネルのデジタル放送番組であっても良い。
【００７２】
図１３は、Ｓ２０１で読み込んだ定期視聴番組データの情報に示されていた『チャンネル』と同一のチャンネルで、新規に週毎若しくは日毎の定期的な放送を開始するデジタル放送番組の情報を、番組表示装置１００の使用者に対して案内する場合の、新番組案内処理を説明するフローチャートである。
【００７３】
本実施例の新番組案内処理では、主制御部１０１が、Ｓ２０１で読み込んだ前記定期視聴番組データの『放送予定日』及び『チャンネル』の情報に示されていた、『７月１７日（火）』の『０６１』チャンネルのデジタル放送の番組表を参照（Ｓ４０１）し、更に、『２０時００分から２２時５４分まで』の時間範囲で放送が予定されているデジタル放送番組の中に、新規に週毎若しくは日毎の定期的な放送を開始するデジタル放送番組があるか否かの確認を行う（Ｓ４０２）。具体的には、例えば、前記時間範囲で放送が予定されている各デジタル放送番組の『番組名』や『番組内容』の情報を参照して、『新番組』や『新』、『第１回』等の文字列が含まれるか、或いは、新番組であることを意味する印、記号、外字等を有するか、等を確認するようにする。
【００７４】
図１２に示したデジタル放送の番組表の例では、『７月１７日（火）』の『０６１』チャンネルの『２１時００分から２１時５４分まで』に放送が予定されているデジタル放送番組で、『ＱＱＱ』という番組名の直前（左側）に新番組であることを意味する印などの表示(図１２の例では「新」を四角で囲んだ表示)が付加されており、したがって、前記デジタル放送番組を新規に週毎若しくは日毎の定期的な放送を開始するデジタル放送番組として検出する。
【００７５】
Ｓ４０２の処理において、前記時間範囲の中に、新規に週毎若しくは日毎の定期的な放送を開始するデジタル放送番組が検出された場合、主制御部１０１は、前記検出された新規に週毎若しくは日毎の定期的な放送を開始するデジタル放送番組の情報を、前記デジタル放送の番組表から取得する（Ｓ４０３）。更に、メール制御部１５２が、前記取得したデジタル放送番組の情報を番組表示装置１００の使用者に案内するためのメールを作成し、前記作成したメールを、個人情報記憶領域１３１に予め記憶しておいた番組表示装置１００の使用者が所有する携帯端末のアドレスに向けて、メール送受信部１５１が送信する（Ｓ４０４）。一方、Ｓ４０２の処理において、前記時間範囲の中に、新規に週毎若しくは日毎の定期的な放送を開始するデジタル放送番組が検出されなかった場合には、主制御部１０１は、図１３のフローチャートの処理を終了する。
【００７６】
図１４に、Ｓ４０４において、メール制御部１５２が作成して、メール送受信部１５１が送信する、前記検出された新規に週毎若しくは日毎の定期的な放送を開始するデジタル放送番組の情報を番組表示装置１００の使用者に案内するためのメールの記述内容の例を示す。本実施例における前記メールでは、デジタル放送の番組表から取得した前記新規に週毎若しくは日毎の定期的な放送を開始するデジタル放送番組の『番組名』、『チャンネル』、『放送日時』、『番組の内容』、等の情報を記載するようにする。更には、前記新規に週毎若しくは日毎の定期的な放送を開始するデジタル放送番組の詳細な情報を掲載するインターネット上のホームページにアクセスするためのＵＲＬ（Ｕｎｉｆｏｒｍ  Ｒｅｓｏｕｒｃｅ  Ｌｏｃａｔｏｒ）等を記載しても良い。
【００７７】
番組表示装置１００から送信された前記メールを受信した番組表示装置１００の使用者は、前記受信したメールを参照することにより、番組表示装置１００の使用者がデジタル放送番組を視聴するための時間を確保することが可能な時間帯に放送される予定のデジタル放送番組である、前記新規に週毎若しくは日毎の定期的な放送を開始するデジタル放送番組の、『番組名』、『チャンネル』、『放送日時』、『番組の内容』、等の情報を知ることが可能となる。更に、前記メールにＵＲＬが記載されている場合には、前記ＵＲＬにアクセスすることにより、前記新規に週毎若しくは日毎の定期的な放送を開始するデジタル放送番組の、より詳細な情報を確認することができるようになる。この結果、番組表示装置１００の使用者は、前記案内されたデジタル放送番組が自らの嗜好に適するか否かを容易に判断できる。
【００７８】
なお、前記ＵＲＬは、前記デジタル放送の番組表から取得した、前記新規に週毎若しくは日毎の定期的な放送を開始するデジタル放送番組に関連するキーワードを用いて、主制御部１０１がインターネット上を検索することにより取得したものを記載するようにすれば良い。前記新規に週毎若しくは日毎の定期的な放送を開始するデジタル放送番組の番組情報にＵＲＬが記載されていた場合には、前記ＵＲＬをそのまま転載しても良い。
【００７９】
また、Ｓ４０２の処理において、前記時間範囲の中に、新規に週毎若しくは日毎の定期的な放送を開始するデジタル放送番組が複数検出された場合には、Ｓ４０４の処理において、メール制御部１５２が、前記検出された複数のデジタル放送番組の情報の全てを記載した一通のメールを作成し、前記作成した一通のメールを、番組表示装置１００の使用者が所有する携帯端末のアドレスに向けて、メール送受信部１５１が送信するようにしても良いし、或いは、メール制御部１５２が、前記検出された複数のデジタル放送番組の情報のそれぞれを一つずつ記載した複数のメールを作成し、前記作成した複数のメールを、番組表示装置１００の使用者が所有する携帯端末のアドレスに向けて、メール送受信部１５１が順次送信するようにしても良い。
【００８０】
前述の例では、新規に週毎若しくは日毎の定期的な放送を開始するデジタル放送番組の情報を番組表示装置１００の使用者に対して案内する処理をメール送信により行う場合の例に関して説明を行ったが、前記処理を番組表示装置１００上の画面表示により行うようにしても良い。新規に週毎若しくは日毎の定期的な放送を開始するデジタル放送番組の情報を番組表示装置１００の使用者に対して案内する処理を画面表示により行う場合、図１３のフローチャートの処理において、Ｓ４０２で検出した新規に週毎若しくは日毎の定期的な放送を開始するデジタル放送番組の情報を、Ｓ４０３でデジタル放送の番組表から取得した後、番組表示装置１００の表示部１２１にＯＳＤ表示するようにすれば良い。
【００８１】
図１５は、前記新規に週毎若しくは日毎の定期的な放送を開始するデジタル放送番組の情報を、番組表示装置１００の表示部１２１にＯＳＤ表示することにより、番組表示装置１００の使用者に案内する際の、ＯＳＤメッセージの表示例を示す図である。
【００８２】
表示部１２１へのＯＳＤ表示により、前記新規に週毎若しくは日毎の定期的な放送を開始するデジタル放送番組の情報を、番組表示装置１００の使用者に案内する場合、図１３のフローチャートのＳ４０３で、デジタル放送の番組表から前記新規に週毎若しくは日毎の定期的な放送を開始するデジタル放送番組の情報を取得した後に、主制御部１０１が表示処理部１２２を制御することにより、まず、図１５（Ａ）に示したような、新規に週毎若しくは日毎の定期的な放送を開始するデジタル放送番組がある旨を知らせるＯＳＤメッセージ１２１ｂを、視聴中のデジタル放送番組の映像１２１ａ上に表示させるようにする。更に、前記ＯＳＤメッセージ１２１ｂを確認した番組表示装置１００の使用者が、図示を省略したリモコン等の操作により、前記新規に週毎若しくは日毎の定期的な放送を開始するデジタル放送番組に関する詳細な情報の表示を要求した場合に、図１５（Ｂ）に示したような、前記新規に週毎若しくは日毎の定期的な放送を開始するデジタル放送番組の詳細な情報を表示するＯＳＤメッセージ１２１ｃを表示するようにすれば良い。
【００８３】
なお、Ｓ４０３における、前記新規に週毎若しくは日毎の定期的な放送を開始するデジタル放送番組の情報をデジタル放送の番組表から取得する処理が、番組表示装置１００が電源オン状態ではない時に行われた場合、その後最初に番組表示装置１００が電源オン状態になった際に、前記ＯＳＤメッセージ１２１ｂを表示するようにすれば良い。また、Ｓ４０３における、前記新規に週毎若しくは日毎の定期的な放送を開始するデジタル放送番組の情報をデジタル放送の番組表から取得する処理が、番組表示装置１００が電源オン状態の時に行われた場合には、デジタル放送の番組表から前記新規に週毎若しくは日毎の定期的な放送を開始するデジタル放送番組の情報を取得した直後に前記ＯＳＤメッセージ１２１ｂを表示するようにしても良いし、番組表示装置１００の使用者が、図示を省略したリモコン等の操作により、情報表示を要求した際若しくはその他の操作を行った際に前記ＯＳＤメッセージ１２１ｂを表示するようにしても良い。
【００８４】
また、本実施例の番組表示装置１００がデジタル放送番組の録画機能を有しているならば、前記定期視聴番組データに示されるデジタル放送番組の放送予定がないことが確認された場合に、番組表示装置１００の使用者が週毎若しくは日毎に定期的に視聴していたデジタル放送番組の代替として、前記時間範囲の中で放送が予定されているデジタル放送番組を案内するのではなく、番組表示装置１００で録画して蓄積したデジタル放送番組、特に未視聴の録画済みデジタル放送番組の視聴（再生）を、番組表示装置１００の使用者に勧めるようにしても良い。または、図１３のフローチャートのＳ４０２の処理で、前記時間範囲で放送が予定されているデジタル放送番組の中に、新規に週毎若しくは日毎の定期的な放送を開始するデジタル放送番組が検出された場合には、前記検出された新規に週毎若しくは日毎の定期的な放送を開始するデジタル放送番組の情報を案内してもよい。前記時間範囲で放送が予定されているデジタル放送番組の中に、新規に週毎若しくは日毎の定期的な放送を開始するデジタル放送番組が検出されなかった場合には、番組表示装置１００で録画して蓄積したデジタル放送番組の視聴（再生）を勧めるようにしても良い。
【００８５】
本実施例の番組表示装置１００で録画して蓄積したデジタル放送番組の視聴（再生）を番組表示装置１００の使用者に勧める場合、前記処理は、メール送信により行っても良いし、番組表示装置１００上の画面表示により行っても良い。本実施例の番組表示装置１００で録画して蓄積したデジタル放送番組の視聴（再生）を、メール送信により番組表示装置１００の使用者に勧める場合のメールの記述内容の例を図１６に、画面表示により番組表示装置１００の使用者に勧める場合のＯＳＤメッセージの表示例を図１７に、それぞれ示す。
【００８６】
なお、図１７に示したＯＳＤメッセージは、図１５に示したＯＳＤメッセージと同様に、まずＯＳＤメッセージ１２１ｄを表示し、前記ＯＳＤメッセージ１２１ｄを確認した番組表示装置１００の使用者が詳細な情報の表示を要求した場合に、ＯＳＤメッセージ１２１ｅを表示するようにすれば良い。また、図１７に示したＯＳＤメッセージに関しては、番組表示装置１００の使用者が週毎若しくは日毎に定期的に視聴していたデジタル放送番組が放送していた同一時間帯で、且つ、番組表示装置１００が電源オン状態の場合に表示し、それ以外の状態では表示しないように制御しても良い。  前述の処理により、本実施例の番組表示装置１００においては、番組表示装置１００の使用者が週毎若しくは日毎の同一時間帯に定期的に視聴していたデジタル放送番組がその定期的な放送を終了若しくは休止したことにより空いた時間を、番組表示装置１００で録画して蓄積したデジタル放送番組の視聴（再生）に使用するように、番組表示装置１００の使用者に対して勧めることが可能となる。即ち、番組表示装置１００の使用者に対して、時間の有効な活用方法の一案を提案することが可能となる。
【００８７】
なお、上述の本実施例の番組表示装置１００がデジタル放送番組の録画機能を有している場合の例の説明は、表示部が別体となっているデジタル放送番組の録画装置にも適用できる。
【００８８】
また、上述の説明では、図１３のＳ４０１で「定期視聴番組データに示されるデジタル放送番組の放送予定」があるか否かを確認すると説明したが、番組表示装置１００がデジタル放送番組の録画機能を有している場合や、表示部が別体となっているデジタル放送番組の録画装置に適用する場合には、Ｓ４０１で単純に「自動録画予約に登録されている番組のデジタル放送番組の放送予定」があるか否かを確認してもよい。すなわち、録画機能を有している番組表示装置や表示部が別体となっている録画装置が、週毎若しくは日毎に定期的に録画していたデジタル放送番組の次回放送予定を確認して、新規に週毎若しくは日毎の定期的な放送を開始するデジタル放送番組を検出して、使用者にメールまたは表示画面を介して視聴または録画を勧めてもよい。
【００８９】
以上の処理により、本実施例の番組表示装置１００においては、番組表示装置１００の使用者が週毎若しくは日毎に定期的に視聴していたデジタル放送番組がその定期的な放送を終了若しくは休止した場合に、その代替となるデジタル放送番組として、前記番組表示装置１００の使用者が週毎若しくは日毎に定期的に視聴していたデジタル放送番組が放送されていた時間帯と同一の時間帯、即ち、番組表示装置１００の使用者がデジタル放送番組を視聴するための時間を確保することが可能な時間帯に放送される予定のデジタル放送番組の情報を、或いは、番組表示装置１００で録画して蓄積したデジタル放送番組の情報を、メール送信若しくはＯＳＤ表示等により、番組表示装置１００の使用者に案内することが可能となる。したがって、デジタル放送受信装置としての使い勝手を向上させることができる。
【００９０】
なお、前述の説明においては、本実施例の番組表示装置１００は、デジタル放送番組を視聴する際に、視聴履歴記憶処理、定期視聴判断処理及び定期視聴番組データの登録処理を行い、更に、前記定期視聴番組データの登録処理で登録した定期視聴番組データ及びデジタル放送の番組表に基づいて自動録画予約処理及び自動録画処理を行うことにより、番組表示装置１００の使用者が週毎若しくは日毎に定期的に視聴しているデジタル放送番組を自動的に録画する機能を有するものとして説明した。しかしながら、前記はあくまでも一例であり、例えば、番組表示装置１００が、デジタル放送番組を視聴する際に、視聴履歴記憶処理、定期視聴判断処理及び定期視聴番組データの登録処理を行い、更に、前記定期視聴番組データの登録処理で登録した定期視聴番組データ及びデジタル放送の番組表に基づいて自動視聴予約処理を行うことにより、番組表示装置１００の使用者が週毎若しくは日毎に定期的に視聴しているデジタル放送番組を自動的に選局して表示する機能を有するものであっても良い。
【００９１】
更には、例えば、番組表示装置１００が、デジタル放送番組を視聴する際に、視聴履歴記憶処理、定期視聴判断処理及び定期視聴番組データの登録処理を行い、前記定期視聴番組データの登録処理で登録した定期視聴番組データ及びデジタル放送の番組表に基づいて、番組表示装置１００の使用者が週毎若しくは日毎に定期的に視聴していたデジタル放送番組がその定期的な放送を終了若しくは休止した場合に、その代替となるデジタル放送番組として、前記番組表示装置１００の使用者が週毎若しくは日毎に定期的に視聴していたデジタル放送番組が放送されていた時間帯と同一の時間帯、即ち、番組表示装置１００の使用者がデジタル放送番組を視聴するための時間を確保することが可能な時間帯に放送される予定のデジタル放送番組の情報を案内する機能のみを有するものであっても良い。
【００９２】
以上、本発明の実施形態の例を説明したが、言うまでもなく、本発明の技術を実現する構成は前記説明した例に限られるものではない。また、文中や図中に現れる数値やメッセージの文章等もあくまでも一例であり、異なるものを用いても本発明の効果を損なうことはない。
【００９３】
また、前述した本発明の機能等は、それらの一部または全部を、例えば集積回路で設計する等によりハードウエアで実現しても良い。また、マイクロプロセッサ等がそれぞれの機能等を実現するプログラムを解釈し、実行することによりソフトウエアで実現しても良い。なお、前記プログラムは、予めＲＯＭ１０３若しくはストレージ部１３０内のその他情報記憶領域１３４等に格納された状態であっても良い。或いは、インターネット上のアプリケーションサーバからＬＡＮインタフェース１６１を介して取得するものであっても良い。メモリカードに格納された前記プログラムを、ＵＳＢインタフェース１６４に接続したメモリインタフェースを介して取得しても良い。
【００９４】
また、図中に示した制御線や情報線は説明上必要と考えられるものを示しているが、製品上必ずしも全ての制御線や情報線を示しているとは限らない。実際には殆ど全ての構成が相互に接続されていると考えても良い。
【符号の説明】
【００９５】
１００：番組表示装置、１０１：主制御部、１０２：システムバス、１０３：ＲＯＭ、１０４：ＲＡＭ、１１０：放送受信部、１１１：チューナ、１１２：分離部、１１３：映像デコーダ、１１４：音声デコーダ、１１５：情報デコーダ、１２１：表示部、１２２：表示処理部、１２３：スピーカ、１２４：音声処理部、１３０：ストレージ部、１３１：個人情報記憶領域、１３２：視聴情報記憶領域、１３３：番組記録領域、１３４：その他情報憶記憶領域、１４０：視聴状況解析部、１５０：メール処理部、１５１：メール送受信部、１５２：メール制御部、１６０：外部インタフェース、１６１：ＬＡＮインタフェース、１６２：音声入出力部、１６３：映像入出力部、１６４：ＵＳＢインタフェース、１７０：操作部、１７１：操作キー、１７２：リモコン受信部、１７３：人感センサ
【図１】
2014107851.tif 000003
【図２】
2014107851.tif 000004
【図３】
2014107851.tif 000005
【図４】
2014107851.tif 000006
【図５】
2014107851.tif 000007
【図６】
2014107851.tif 000008
【図７】
2014107851.tif 000009
【図８】
2014107851.tif 000010
【図９】
2014107851.tif 000011
【図１０】
2014107851.tif 000012
【図１１】
2014107851.tif 000013
【図１２】
2014107851.tif 000014
【図１３】
2014107851.tif 000015
【図１４】
2014107851.tif 000016
【図１５】
2014107851.tif 000017
【図１６】
2014107851.tif 000018
【図１７】
2014107851.tif 000019